(57)【特許請求の範囲】
【請求項１】
上側から、透明フィルム、粘着材層、体積ホログラム層、粘着材層、透明フィルム、粘着材層、剥離用シート（ａ）がこの順に積層されているホログラム積層体であって、前記剥離用シート（ａ）は黒色かつ不透明であり、該剥離用シート（ａ）を剥がした状態では透明であり、光学部材に適用されることを特徴とするホログラム積層体。
【請求項２】
上側から、透明フィルム、粘着材層、体積ホログラム層、粘着材層、剥離用シート（ａ）がこの順に積層されているホログラム積層体であって、前記剥離用シート（ａ）は黒色かつ不透明であり、該剥離用シート（ａ）を剥がした状態では透明であり、光学部材に適用されることを特徴とするホログラム積層体。
【請求項３】
上側から、透明剥離用シート（ｂ）、粘着材層、透明フィルム、粘着材層、体積ホログラム層、粘着材層、透明フィルム、粘着材層、剥離用シート（ａ）がこの順に積層されているホログラム積層体であって、前記剥離用シート（ａ）は黒色かつ不透明であり、該剥離用シート（ａ）を剥がした状態では透明であり、光学部材に適用されることを特徴とするホログラム積層体。
【請求項４】
上側から、透明剥離用シート（ｂ）、粘着材層、透明フィルム、粘着材層、体積ホログラム層、粘着材層、剥離用シート（ａ）がこの順に積層されているホログラム積層体であって、前記剥離用シート（ａ）は黒色かつ不透明であり、該剥離用シート（ａ）を剥がした状態では透明であり、光学部材に適用されることを特徴とするホログラム積層体。
【請求項５】
上側から、透明剥離用シート（ｂ）、粘着材層、体積ホログラム層、粘着材層、透明フィルム、粘着材層、剥離用シート（ａ）がこの順に積層されているホログラム積層体であって、前記剥離用シート（ａ）は黒色かつ不透明であり、該剥離用シート（ａ）を剥がした状態では透明であり、光学部材に適用されることを特徴とするホログラム積層体。
【請求項６】
請求項１〜５のいずれか１項に記載のホログラム積層体であって、剥離用シート（ａ）が、剥離フィルム、または剥離紙であるホログラム積層体。
【請求項７】
請求項１〜５のいずれか１項に記載のホログラム積層体であって、剥離用シート（ａ）が、ポリエチレンテレフタレートフィルムであるホログラム積層体。
【発明の詳細な説明】
【０００１】
【発明の属する技術分野】
本発明は、粘着加工され剥離用シートを有するホログラム積層体に関する。詳しくは、剥離用シートを改良しホログラムの視認性を向上することにより、検査を容易にし、また販売時の意匠性を良好にさせるホログラム積層体に関する。
【０００２】
【従来の技術】
光の干渉を用いて立体的な画像を再生しうるホログラムは、粘着加工され剥離用シートを有するホログラム積層体（いわゆるシール、ラベル等）に加工可能である。これらのホログラム積層体は、剥離用シートを剥がした後、目的の対象物に貼着される。
【０００３】
具体的には、不正防止のためカード、ビデオカセット、コンパクトディスク、ブランド品、ＣＤ−ＲＯＭ等のソフトウェアー、ＲＯＭボード等に貼着したりされ、この場合には、これら貼着の対象物の製造者が製造工程中で貼ることとなる。また、視野角を制限したり意匠性を増すために、携帯電話の表示窓、水泳用やスキー用のゴーグル、オーディオ機器の表示窓等の情報表示窓にも貼着して使用される。この場合には、貼着の製造者自らが製造工程の中で貼る場合や、消費者が対象製品を購入後貼着する場合がある。
【０００４】
しかしながら、従来、粘着加工されたホログラム積層体の剥離用シートは、透明なフィルムであった。そのため、そのホログラム積層体のみでホログラムを観察した場合、視認性が悪いためにホログラムを検査する場合に問題を生じ、欠陥の発見が困難で、検査効率も低かった。また、ホログラムシール等としてホログラム積層体を販売する場合も、視認性が悪いために、購入者に訴える意匠性が不足しがちとなった。
【０００５】
【発明の解決しようとする課題】
本願は、上記問題点を鑑みてなされたものであり、視認性にすぐれ、検査時に欠陥の発見が容易で検査効率が高く、また、販売時に消費者に訴える意匠性が良好なホログラム積層体を提供することを目的とする。
【０００６】
【課題を解決するための手段】
本発明においては、光学部材に適用され得るホログラム積層体の体積ホログラム再生面とは反対の側（裏面）の剥離用シートを黒色かつ不透明とすることにより、ホログラム積層体を観察する場合の背景の状態に関わらず、体積ホログラムの視認性が優れたものとすることを特徴とする。
【０００７】
第１の発明は、上側から、透明フィルム、粘着材層、体積ホログラム層、粘着材層、透明フィルム、粘着材層、剥離用シート（ａ）がこの順に積層されているホログラム積層体であって、前記剥離用シート（ａ）は黒色かつ不透明であり、該剥離用シート（ａ）を剥がした状態では透明であり、光学部材に適用されることを特徴とするホログラム積層体に関するものである。
【０００８】
第２の発明は、上側から、透明フィルム、粘着材層、体積ホログラム層、粘着材層、剥離用シート（ａ）がこの順に積層されているホログラム積層体であって、前記剥離用シート（ａ）は黒色かつ不透明であり、該剥離用シート（ａ）を剥がした状態では透明であり、光学部材に適用されることを特徴とするホログラム積層体に関する。
【０００９】
第３の発明は、上側から、透明剥離用シート（ｂ）、粘着材層、透明フィルム、粘着材層、体積ホログラム層、粘着材層、透明フィルム、粘着材層、剥離用シート（ａ）がこの順に積層されているホログラム積層体であって、前記剥離用シート（ａ）は黒色かつ不透明であり、該剥離用シート（ａ）を剥がした状態では透明であり、光学部材に適用されることを特徴とするホログラム積層体に関する。
【００１０】
第４の発明は、上側から、透明剥離用シート（ｂ）、粘着材層、透明フィルム、粘着材層、体積ホログラム層、粘着材層、剥離用シート（ａ）がこの順に積層されているホログラム積層体であって、前記剥離用シート（ａ）は黒色かつ不透明であり、該剥離用シート（ａ）を剥がした状態では透明であり、光学部材に適用されることを特徴とするホログラム積層体に関する。
【００１１】
第５の発明は、上側から、透明剥離用シート（ｂ）、粘着材層、体積ホログラム層、粘着材層、透明フィルム、粘着材層、剥離用シート（ａ）がこの順に積層されているホログラム積層体であって、前記剥離用シート（ａ）は黒色かつ不透明であり、該剥離用シート（ａ）を剥がした状態では透明であり、光学部材に適用されることを特徴とするホログラム積層体に関する。
【００１４】
第６の発明は、第１〜５のいずれかの発明であって、剥離用シート（ａ）が、剥離フィルム、または剥離紙であるホログラム積層体に関する。
【００１５】
第７の発明は、第１〜５のいずれかの発明であって、剥離用シート（ａ）が、ポリエチレンテレフタレートフィルムであるホログラム積層体に関する。
【００１６】
【発明の実施の形態】
以下に、本発明の実施の形態について図面を参照しながら説明する。
【００１７】
図１に、本発明のホログラム積層体の一形態の断面図である。図１のホログラム積層体は、上から、透明フィルム３、粘着材層２、体積ホログラム層１、粘着材層６、透明フィルム７、粘着材層８、剥離用シート（ａ）９がこの順に積層されている。そして、該剥離用シート（ａ）９は、黒色かつ不透明である。
【００１８】
図２に、本発明のホログラム積層体の別の一形態の断面を示す。図２のホログラム積層体は、上側から、透明フィルム３、粘着材層２、体積ホログラム層１、粘着材層８、剥離用シート（ａ）９がこの順に積層されている。そして、該剥離用シート（ａ）９は、黒色かつ不透明である。
【００１９】
図３に、本発明のホログラム積層体の別の一形態の断面を示す。図３のホログラム積層体は、上側から、透明剥離用シート（ｂ）５、粘着材層４、透明フィルム３、粘着材層２、体積ホログラム層１、粘着材層６、透明フィルム７、粘着材層８、剥離用シート（ａ）９がこの順に積層されている。そして、該剥離用シート（ａ）９は、黒色かつ不透明である。
【００２０】
図４に、本発明のホログラム積層体の別の一形態の断面を示す。図４のホログラム積層体は、上側から、透明剥離用シート（ｂ）５、粘着材層４、透明フィルム３、粘着材層２、体積ホログラム層１、粘着材層８、剥離用シート（ａ）９がこの順に積層されている。そして、該剥離用シート（ａ）９は、黒色かつ不透明である。
【００２１】
図５に、本発明のホログラム積層体の別の一形態の断面を示す。図５のホログラム積層体は、上側から、透明剥離用シート（ｂ）５、粘着材層４、体積ホログラム層１、粘着材層６、透明フィルム７、粘着材層８、剥離用シート（ａ）９がこの順に積層されている。そして、該剥離用シート（ａ）９は、黒色かつ不透明である。
【００２２】
上記のごとく、本発明のホログラム積層体は、体積ホログラム再生面とは反対の側（裏面）の剥離用シートが黒色かつ不透明であるので、ホログラム積層体を観察する場合の背景の状態に関わらず、体積ホログラムの視認性を優れたものとすることができ、検査を容易にし、販売時の意匠性を良好にすることができる。
【００２３】
つぎに、上記のホログラム積層体について、具体的用途について説明する。図１、２に示した構造のホログラム積層体は、裏面にのみ剥離用シート（ａ）を有する構造である。このような構造のホログラム積層体は、いわゆるホログラムラベル、ホログラムシール等の名称で呼ばれている。これらの具体的な用途としては、不正防止のためカード、ビデオカセット、コンパクトディスク、ブランド品、ＣＤ−ＲＯＭ等のソフトウェアー、ＲＯＭボード等に貼着されたりする。また、視野角を制限したり意匠性を増すために、携帯電話の表示窓、水泳用やスキー用のゴーグル、オーディオ機器の表示窓等の情報表示窓にも貼着して使用される。
【００２４】
また、図３、４、５に示した構造のホログラムは、表面に透明剥離用シート（ｂ）、裏面に剥離用シート（ａ）を有している。この構造のものは、表面の透明剥離用シート（ｂ）を剥がして、機能性光学部材と張り合わせた後、裏面の剥離用シート（ａ）を剥がし、目的物に貼着する等して使用する。具体的には、体積ホログラム層に反射板として機能するような干渉縞を形成した上記ホログラム積層体の表面の透明剥離用シート（ｂ）を剥がし、偏光制御フィルムを貼り合わせた後、裏面の剥離用シート（ａ）を剥がし、のぞみの場所に貼り付けることにより、偏光制御反射素子として機能させることができる。
【００２５】
また、体積ホログラム層に任意の画像、文字等のパターンの干渉縞を形成した上記ホログラム積層体の表面の透明剥離用シート（ｂ）を剥がし、偏光制御フィルムを貼り合わせれば、不正複製が極めて困難な不正防止用ホログラムシールとなる。不正複製が困難になる理由は、通常ホログラムの複製には、レーザー光が使用されるが、このレーザー光は、通常特定の方向に偏向しているため、偏向制御フィルムと組み合わせたホログラムは、実質的に観察できる複製品が作製できなくなることによる。この不正複製不能な不正防止用シールは、裏面の剥離用シート（ａ）を剥がした後、任意の物品に貼り付けて使用できる。
【００２６】
次に、ホログラム積層体の各層について詳細に説明する。
【００２７】
１．離型用シート（ａ）
離型用シート（ａ）としては、少なくとも片面にシリコーン系、フッ素系、ステアリン酸系、ワックス系等の離型剤をコート法、デップ法等で、基材にコーティングすることにより得られる。離型用シート（ａ）の基材としては、各種紙や、ポリエチレンフィルム、ポリプロピレンフィルム、ポリフッ化エチレン系フィルム、ポリフッ化ビニリデンフィルム、ポリ塩化ビニルフィルム、ポリ塩化ビニリデンフィルム、エチレン−ビニルアルコールフィルム、ポリビニルアルコールフィルム、ポリメチルメタクリレートフィルム、ポリエーテルスルホンフィルム、ポリエーテルエーテルケトンフィルム、ポリアミドフィルム、テトラフルオロエチレン−パーフルオロアルキルビニルエーテル共重合体フイルム、ポリエチレンテレフタレートフィルム等のポリエステルフィルム、ポリイミドフィルム等が使用可能であり、特にポリエチレンテレフタレートフィルムが好適である。また、離型用シート（ａ）の基材の厚みとしては、２μｍ〜２００μｍ、好ましくは、１０μｍ〜５０μｍが望ましい。
【００２８】
離型用シート（ａ）の基材は、黒色の紙、黒色フィルムを使用してもよいし、白色の紙またはフィルムに印刷を施すことにより黒色としてもよい。また、離型用シート（ａ）に塗工する離型剤中に顔料、染料を混ぜて黒色としてもよい。
【００２９】
本願において、離型用シート（ａ）が、黒色で不透明な状態のときに最も良好にホログラムを視認することができる。
【００３０】
２．ホログラム層
体積ホログラム層１は、物体光と参照光との干渉光を、干渉縞の間隔よりも十分に厚い感光材料に記録したもので、干渉縞の３次元構造が、そのまま記録されたものである。
【００３１】
この体積ホログラムを形成するには、体積ホログラム形成用材料層に対し、直接、物体光と参照光との干渉光を記録するか、あるいは、体積ホログラムの原版を密着露光することにより複製して得るものであり、工業的には、後者の方法による。
【００３２】
一般に、ホログラム形成用材料としては、銀塩材料、重クロム酸ゼラチン乳剤、光重合性樹脂、光架橋性樹脂等の公知の体積ホログラム記録材料が挙げられるが、体積ホログラムにあっては、生産の効率上、マトリックスポリマー、光重合可能な化合物、光重合開始剤及び増感色素とからなる乾式の体積位相型ホログラム記録用途の感光性材料を体積ホログラム形成用材料として使用する事が好ましい。具体的な材料としては、Ｄｕｐｏｎｔ社製のＨＲＦ８００Ｘ００１−１５が好適に使用される。
【００３３】
上記のようなホログラム感光材料にたいしては、レーザー光を使用して露光する。具体的には、 ４７６．５ｎｍ、５３２ｎｍ、６４７ｎｍの波長の輝線のレーザー光を使用して、露光することにより、フルカラーホログラムを得ることができる。その後、１２０℃、１２０ｍｉｎの後処理工程を経て、安定なホログラムとする。
【００３４】
３．粘着材層
本願の粘着材層２、４、６、８としては、例えば、アクリル樹脂、アクリル酸エステル樹脂、またはこれらの共重合体、スチレン−ブタジェン共重合体、天然ゴム、カゼイン、ゼラチン、ロジンエステル、テルペン樹脂、フェノール系樹脂、スチレン系樹脂、クマロンインデン樹脂、ポリビニルエーテル、シリコーン樹脂等が使用可能で、また、α−シアノアクリレート系、シリコーン系、マレイミド系、スチロール系、ポリオレフイン系、ポリビニルエーテル系等の粘着材等が使用できる。
【００３５】
また、粘着材の代りにヒートシール剤を用いることもできる。。例えば、エチレン−酢酸ビニル共重合体樹脂、ポリアミド樹脂、ポリエステル樹脂、ポリエチレン樹脂、エチレン−イソブチルアクリレート共重合体樹脂、ブチラール樹脂、ポリ酢酸ビニル及びその共重合体樹脂、セルロース誘導体、ポリメチルメタクリレート樹脂、ポリビニルエーテル樹脂、ポリウレタン樹脂、ポリカーボネート樹脂、ポリプロピレン樹脂、エポキシ樹脂、又はフェノール樹脂が挙げられる。  あるいは、SBS（スチレン−ブタジエン−スチレンブロックコポリマー）、SIS（スチレン−イソプレン−スチレンブロックコポリマー）、SEBS（スチレン−エチレン−ブチレン−スチレンブロックコポリマー）等の熱可塑性エラストマー、又は反応ホットメルト性樹脂等を使用してもよい。
好ましい粘着材層用材料として、リンテック(株)製ＰＬシンが使用される。また、粘着材層用材料としては、無色透明なものが好ましい。
【００３６】
粘着材層は、上記したような材料を使用し、膜厚４μｍ〜２０μｍになるよう形成するとよい。粘着材を適用して接着する際には、幾つかの方法があり、その1つに、接着面のいずれか又は両側に塗布しておき、必要に応じて乾燥させた後、両者を圧着する方法がある。圧着の際に、必要に応じ、加熱してもよい。あるいは、セパレーターと称する、表面が剥離性のシートの剥離性面に粘着剤を塗布しておき、いずれかの接着面に圧着し、圧着後にセパレーターを剥離し、剥離により露出した粘着材面に他の接着面を圧着する方法もある。
【００３７】
４．透明フィルム
本願の透明フィルム３、７に使用可能な材料としては、厚さ１μｍ〜１ｍｍ、好ましくは１０μｍ〜１００μｍのポリエチレンテレフタレートフィルム、ポリエチレンフィルム、ポリプロピレンフィルム、ポリ塩化ビニルフィルム、アクリルフィルム、トリアセチルセルロースフィルム、セルロースアセテートブチレートフィルム等の透明性が高く、平滑性が高い樹脂フィルムが使用可能である。中でも、無色透明なフィルムが最も好ましい。そして、これらのフィルムを粘着材層にゴムローラー等で貼り合わせる。
【００３８】
５．透明離型用シート（ｂ）
透明離型用シート（ｂ）としては、少なくとも片面にシリコーン系、フッ素系、ステアリン酸系、ワックス系等の離型剤をコート法、デップ法等で、基材フィルムにコーティングすることにより得られる。透明離型用シート（ｂ）の基材フィルムとしては、ポリエチレンフィルム、ポリプロピレンフィルム、ポリフッ化エチレン系フィルム、ポリフッ化ビニリデンフィルム、ポリ塩化ビニルフィルム、ポリ塩化ビニリデンフィルム、エチレン−ビニルアルコールフィルム、ポリビニルアルコールフィルム、ポリメチルメタクリレートフィルム、ポリエーテルスルホンフィルム、ポリエーテルエーテルケトンフィルム、ポリアミドフィルム、テトラフルオロエチレン−パーフルオロアルキルビニルエーテル共重合体フイルム、ポリエチレンテレフタレートフィルム等のポリエステルフィルム、ポリイミドフィルム等が使用可能であり、特に無色透明のものが好ましい。
【００３９】
【発明の効果】
以上詳述したように、本発明のホログラム積層体は、体積ホログラム再生面とは反対の側（裏面）の剥離用シート（ａ）が黒色かつ不透明であるので、光学部材に適用され得るホログラム積層体を観察する場合の背景の状態に関わらず、体積ホログラムの視認性を優れたものとすることができる。これにより、ホログラム積層体の製造工程での検査を容易にし欠陥の発見率をあげることができ検査効率も向上させる事ができる。加えて、販売時に消費者に訴える意匠性も良好にすることができる。
【図面の簡単な説明】
【図１】本発明のホログラム積層体の一形態を示す断面図である。
【図２】本発明のホログラム積層体の別の一形態を示す断面図である。
【図３】本発明のホログラム積層体の別の一形態を示す断面図である。
【図４】本発明のホログラム積層体の別の一形態を示す断面図である。
【図５】本発明のホログラム積層体の別の一形態を示す断面図である。
【符号の説明】
１．体積ホログラム層
２．粘着材層
３．透明フィルム層
４．粘着材層
５．透明剥離用シート（ｂ）
６．粘着材層
７．透明フィルム
８．粘着材層
９．剥離用シート（ａ）
【図１】
0004549460.tif 000002
【図２】
0004549460.tif 000003
【図３】
0004549460.tif 000004
【図４】
0004549460.tif 000005
【図５】
0004549460.tif 000006